(57)【特許請求の範囲】
【請求項１】
上面に複数の固定接点を設けた端子板と、この端子板の上面を覆う下面と側面開放の箱形のケースと、このケースに摺動可能に収納されケースの側面から突出する操作部を有する摺動体と、この摺動体の下面の突部または窪みに上面が揺動可能に係合し一端部に可動接点を有する導電金属製の接触片と、上記端子板の上面に収納さればねによって接触片の下面に弾接するピンからなり、上記操作部を押圧して上記摺動体を摺動させると、上記摺動体の突部または窪みが上記ピンの位置を越えることにより上記接触片が揺動して上記可動接点が上記固定接点と接触し、さらに上記操作部を押圧すると、上記摺動体の摺動に伴って係合した上記接触片がさらに移動することにより上記可動接点が上記固定接点に接触したまま上記固定接点上を摺動するプッシュスイッチ。
【請求項２】
接触片の両側部を摺動体の両側面に上下方向の遊びを持たせて係合した請求項１に記載のプッシュスイッチ。
【請求項３】
接触片の下面のピン弾接部にピンのガイド溝を摺動方向に設けた請求項１に記載のプッシュスイッチ。
【発明の詳細な説明】
【０００１】
【発明の属する技術分野】
本発明は主として自動車の車室内用機器等に使用されるプッシュスイッチに関するものである。
【０００２】
【従来の技術】
従来のプッシュスイッチについて、図８及び図９を用いて説明する。
【０００３】
図８（ａ），（ｂ）は従来のプッシュスイッチの動作を説明する断面図、図９は同スイッチの分解斜視図であり、同図において、１は上面に複数の導電金属製の固定接点２を設けた端子板、３は端子板１の上面を覆う下面と一方の側面３Ａが開放された箱形のケース、４はケース３内に摺動可能に収納されケース３の側面３Ａから突出する操作部４Ａを有する摺動体であり、この摺動体４の後方突部４Ｂとケース３の内側面突部３Ｂの間にはばね５がやや撓んだ状態で保持されている。
【０００４】
また、６は弾性脚部先端に可動接点６Ａと６Ｂを有する弾性金属薄板製の接触片であり、保持部６Ｃと６Ｄによって摺動体４の下面に保持され、弾性脚部がやや撓んだ状態となって可動接点６Ａと６Ｂを端子板１の上面に弾接している。
【０００５】
上記構成において、図８（ａ）の状態から摺動体４の操作部４Ａを押圧すると、摺動体４がばね５を撓ませながらケース３内を摺動するのに伴い、図８（ｂ）に示すように摺動体４の下面に保持された接触片６の可動接点６Ａと６Ｂが固定接点２Ａと２Ｂ上に各々弾接することによって、接触片６を介した固定接点２Ａと２Ｂの電気的接続が行われ、押圧力を除去すると、ばね５の弾性復帰力により摺動体４が元の状態に戻るため、接触片６の可動接点６Ａと６Ｂが固定接点２Ａと２Ｂから離れ図８（ａ）のＯＦＦ状態に復帰する。
【０００６】
【発明が解決しようとする課題】
しかしながら上記従来のプッシュスイッチにおいては、接触片６の可動接点６Ａと６Ｂを固定接点２上に弾接する必要があるため、接触片６には弾性が必要となり、このため材厚の薄い弾性金属材料が使用されており、数ｍＡ程度の低電流域でスイッチを使用する際には接触部の塵埃や異物を除去するクリーニング効果があるが、接触部の接離時にアークの発生する数Ａの高電流域で使用する際には、このアークによって弾性金属薄板製である接触片６や固定接点２の損傷や摩耗が大きくなり、十分な接触信頼性が得られなくなるという課題があった。
【０００７】
本発明はこのような従来の課題を解決するものであり、数ｍＡから数Ａまでの広範囲の電流域に使用が可能で、長期間の使用においても安定した接触が得られるプッシュスイッチを提供することを目的とする。
【０００８】
【課題を解決するための手段】
上記課題を解決するために本発明のプッシュスイッチは、ばねによって上方に付勢されて端子板に収納されたピンを、摺動体の下面に揺動可能に保持された接触片の下面に弾接させて、摺動体の摺動により接触片を揺動させて固定接点と接離させる構成としたものである。
【０００９】
これにより、広範囲の電流域に使用が可能で、長期間安定した接触が得られるプッシュスイッチを得ることができる。
【００１０】
【発明の実施の形態】
本発明の請求項１に記載の発明は、上面に複数の固定接点を設けた端子板と、この端子板の上面を覆う下面と側面開放の箱形のケースと、このケースに摺動可能に収納されケースの側面から突出する操作部を有する摺動体と、この摺動体の下面の突部または窪みに上面が揺動可能に係合し一端部に可動接点を有する導電金属製の接触片と、上記端子板の上面に収納さればねによって接触片の下面に弾接するピンからなり、上記操作部を押圧して上記摺動体を摺動させると、上記摺動体の突部または窪みが上記ピンの位置を越えることにより上記接触片が揺動して上記可動接点が上記固定接点と接触し、さらに上記操作部を押圧すると、上記摺動体の摺動に伴って係合した上記接触片がさらに移動することにより上記可動接点が上記固定接点に接触したまま上記固定接点上を摺動するプッシュスイッチとしたもので、接触片には弾性を必要としないため材厚の厚い導電金属製の接触片にすることができ、この接触片が揺動することによって固定接点との接離を行うため、アークの発生する高電流域においても使用が可能になると共に、摺動体に係合した接触片が固定接点に接触した後も固定接点上を摺動するように構成されているため、クリーニング効果によって長期間の使用においても安定した接触が得られるプッシュスイッチを得ることができるという作用を有する。
【００１１】
請求項２に記載の発明は、請求項１記載の発明において、接触片の両側部を摺動体の両側面に上下方向の遊びを持たせて係合したもので、接触片の摺動体への係合を２ヵ所で行って仮保持できるため、スイッチの組立て時に摺動体から接触片が脱落することを防止でき取扱いが容易になるという作用を有する。
【００１２】
請求項３に記載の発明は、請求項１に記載の発明において、接触片の下面のピン弾接部にピンのガイド用の凹部を摺動方向に設けたもので、このガイド溝にピンの先端を弾接させることによって接触片の中央位置にピンが確実に弾接するため、接触片の揺動動作が確実なものとなるという作用を有する。
【００１３】
以下本発明の実施の形態について、図１〜図７を用いて説明する。
なお、従来の技術の項で説明した構成と同一構成の部分には同一符号を付して詳細な説明を省略する。
【００１４】
（実施の形態１）
図１は本発明の第１の実施の形態によるプッシュスイッチの断面図、図２は同分解斜視図、図３は同摺動体と接触片の分解斜視図、図４は同スイッチの動作を説明する断面図であり、同図において、１１は上面に複数の導電金属製の固定接点２を設けた端子板、３は端子板１１の上面を覆う下面と一方の側面３Ａが開放された箱形のケース、１４はケース３内に摺動可能に収納されケース３の側面３Ａから突出する操作部１４Ａを有する摺動体であり、この摺動体１４の後方突部１４Ｂとケース３の内側面突部３Ｂの間にはばね５がやや撓んだ状態で保持されている。
【００１５】
また、１６は一端部に可動接点１６Ａと１６Ｂを有する導電金属製の接触片であり、可動接点１６Ａ，１６Ｂを固定接点２と平行に当接させ面接触させるための折曲部１６Ｉが中間部に設けられ、摺動体１４の下面の窪み１４Ｃに収納され、端子板１１の窪み１１Ａにばね１７と共に収納されたピン１８が中央部下面に弾接することによって、中央部上面の切起部１６Ｃが摺動体１４の突部１４Ｄに揺動可能に当接している。
【００１６】
上記構成において、図１の状態から摺動体１４の操作部１４Ａを押圧すると、摺動体１４がばね５を撓ませながらケース３内を摺動し、接触片１６の切起部１６Ｃを保持した摺動体１４の突部１４Ｄがピン１８の位置を超えると、ばね１７によるピン１８の接触片１６への弾接荷重の加わる位置が変化するため、図４（ａ）に示すように、接触片１６が突部１４Ｄに係合した切起部１６Ｃを支点として揺動し、接触片１６の端部の可動接点１６Ａと１６Ｂが固定接点２Ａと２Ｂに接触することによって、接触片１６を介した固定接点２Ａと２Ｂの電気的接続が行われる。
【００１７】
また、図４（ａ）の状態からさらに操作部１４Ａを押圧すると、図４（ｂ）に示すように摺動体１４の摺動に伴って突部１４Ｄに切起部１６Ｃが係合した接触片１６がさらに移動するため、可動接点１６Ａと１６Ｂは固定接点２Ａと２Ｂに接触したまま固定接点２Ａと２Ｂ上を摺動し、押圧力を除去するとばね５の弾性復帰力により摺動体１４が元の状態に戻るため、接触片１６が揺動して可動接点１６Ａと１６Ｂが固定接点２Ａと２Ｂから離れ、図１のＯＦＦ状態に復帰する。
【００１８】
このように本実施の形態によれば、接触片１６には弾性を必要としないため材厚の厚い導電金属材料が使用でき、また、可動接点１６Ａと１６Ｂを備えた接触片１６が揺動することによって固定接点２Ａ及び２Ｂとの接離を行うため、数ｍＡから数Ａまでの広範囲の電流域に使用が可能になると共に、摺動体１４の突部１４Ｄに切起部１６Ｃが係合した接触片１６が固定接点２Ａと２Ｂに接触した後も固定接点２上を摺動するように構成されているため、長期間の使用においても安定した接触が得られるプッシュスイッチを得ることができるものである。
【００１９】
（実施の形態２）
図５は本発明の第２の実施の形態による摺動体と接触片の分解斜視図、図６は同接触片の断面図であり、同図において、接触片１６の中央両側部の上方への立上げ部１６Ｊ，１６Ｋには長孔１６Ｄと１６Ｅが設けられ、この長孔１６Ｄと１６Ｅが摺動体１４の両側面に設けた突出軸１４Ｅと１４Ｆに挿入され、上下方向に遊びを持って揺動可能に摺動体１４の下面の窪み１４Ｃに収納されている。
【００２０】
また、接触片１６の中央部下面にはピン１８の摺動方向にガイド溝１６Ｆが設けられ、端子板１１（図示せず）の窪み１１Ａにばね１７と共に収納されたピン１８の先端がこのガイド溝１６Ｆの下面に弾接することによって、ガイド溝１６Ｆの上面が摺動体１４の突部１４Ｄに当接している。
【００２１】
上記構成において、摺動体１４の操作部１４Ａ（図示せず）を押圧すると、摺動体１４の摺動に伴って接触片１６が揺動し、接触片１６端部の可動接点１６Ａと１６Ｂが固定接点に接触することや、さらに操作部１４Ａを押圧すると、接触片１６の可動接点１６Ａと１６Ｂが固定接点上を摺動することは、実施の形態１と同様である。
【００２２】
このように本実施の形態によれば、接触片１６が両側部の長孔１６Ｄと１６Ｅによって摺動体１４に上下方向に遊びを持ち揺動可能に係合されているため、摺動体１４に接触片１６を２ヵ所で仮保持することができ、スイッチ組立て時の接触片１６の摺動体１４からの脱落が防止でき取扱いが容易になると共に、接触片１６端部の可動接点１６Ａと１６Ｂや固定接点の高さにバラツキがあった場合でも、摺動体１４との間の遊びによって接触片１６が傾いて可動接点１６Ａ，１６Ｂを固定接点に均等に接触させるため、接触片１６と固定接点との安定した接触を得ることができる。
【００２３】
また、接触片１６の中央部下面の摺動方向にピン１８のガイド溝１６Ｆを設け、このガイド溝１６Ｆの下面にピン１８の先端を弾接させることによって、ばね１７の荷重がピン１８を介して接触片１６の中央位置に確実に作用するため、接触片１６の揺動動作及び固定接点との接触を確実なものとすることができる。
【００２４】
なお、接触片１６の摺動体１４への保持は、図７に示すように接触片１６の中央両側部に切欠き１６Ｇと１６Ｈを設け、これを摺動体１４の両側面に設けた爪部１４Ｇと１４Ｈに上下方向に遊びを持ち揺動可能に係合する構成としても、同様の効果を得ることができる。
【００２５】
【発明の効果】
以上のように本発明によれば、広範囲の電流域に使用が可能で長期間安定した接触が得られるプッシュスイッチを得ることができるという有利な効果が得られる。
【図面の簡単な説明】
【図１】本発明の第１の実施の形態によるプッシュスイッチの断面図
【図２】同分解斜視図
【図３】同摺動体と接触片の分解斜視図
【図４】同スイッチ動作を説明する断面図
【図５】本発明の第２の実施の形態による摺動体と接触片の分解斜視図
【図６】同接触片の断面図
【図７】同摺動体と接触片の分解斜視図
【図８】従来のプッシュスイッチの動作を説明する断面図
【図９】同スイッチの分解斜視図
【符号の説明】
２，２Ａ，２Ｂ  固定接点
３  ケース
３Ａ  側面
３Ｂ  突部
５  ばね
１１  端子板
１１Ａ  窪み
１４  摺動体
１４Ａ  操作部
１４Ｂ  突部
１４Ｃ  窪み
１４Ｄ  突部
１４Ｅ，１４Ｆ  突出軸
１４Ｇ，１４Ｈ  爪部
１６  接触片
１６Ａ，１６Ｂ  可動接点
１６Ｃ  切起部
１６Ｄ，１６Ｅ  長孔
１６Ｆ  ガイド溝
１６Ｇ，１６Ｈ  切欠き
１７  ばね
１８  ピン
【図１】
0003921721.tif 000002
【図２】
0003921721.tif 000003
【図３】
0003921721.tif 000004
【図４】
0003921721.tif 000005
【図５】
0003921721.tif 000006
【図６】
0003921721.tif 000007
【図７】
0003921721.tif 000008
【図８】
0003921721.tif 000009
【図９】
0003921721.tif 000010